(57)【要約】【課題】ケース内における複数の電池セルの放熱状態が不均一になることを抑制可能な電池パックを提供する。【解決手段】ケース２１と、ケース２１の内部に収容された複数の電池セル２３と、を有する電池パック１２であって、ケース２１は、前壁２４及び後壁と、天板３０及びベース２７とを有し、前壁２４に設けた空気流入口３４，３５と、後壁部に設けた空気流出口と、天板３０と複数の電池セル２３との間に形成された第１通路３２と、ベース２７と複数の電池セル２３との間に形成された第２通路３３と、が更に設けられ、空気流入口３４は、天板３０と複数の電池セル２３との間に設けられ、空気流入口３５はベース２７と複数の電池セル２３との間に設けられ、空気流出口は、天板３０と複数の電池セル２３との間、ベース２７と複数の電池セル２３との間にそれぞれに設けられている。【選択図】図２
2020091943.tif 000002
【特許請求の範囲】
【請求項１】
ケースと、前記ケースの内部に収容された複数の電池セルと、を有する電池パックであって、
前記ケースは、
所定方向に沿って配置され、かつ、互いに平行な第１壁部及び第２壁部と、
前記所定方向に対して交差する方向に沿って配置され、かつ、互いに平行な第３壁部及び第４壁部と、
を有し、
前記第１壁部に設けられ、かつ、前記ケースの外部と前記ケースの内部とをつなぐ空気流入口と、
前記第２壁部に設けられ、かつ、前記ケースの内部と前記ケースの外部とをつなぐ空気流出口と、
前記複数の電池セルのそれぞれにおける前記第３壁部に最も近い箇所と、前記第３壁部との間に形成され、前記空気流入口及び前記空気流出口につながる第１通路と、
前記複数の電池セルのそれぞれにおける前記第４壁部に最も近い箇所と、前記第４壁部との間に形成され、前記空気流入口及び前記空気流出口につながる第２通路と、
が更に設けられ、
前記空気流入口は、前記複数の電池セルのそれぞれにおける前記第３壁部に最も近い箇所と、前記第３壁部との間、及び前記複数の電池セルのそれぞれにおける前記第４壁部に最も近い箇所と、前記第４壁部との間にそれぞれ配置され、
前記空気流出口は、前記複数の電池セルのそれぞれにおける前記第３壁部に最も近い箇所と、前記第３壁部との間、及び前記複数の電池セルのそれぞれにおける前記第４壁部に最も近い箇所と、前記第４壁部との間にそれぞれ配置されている、電池パック。
【請求項２】
請求項１記載の電池パックにおいて、
前記所定方向における前記空気流入口の配置範囲と、前記所定方向における前記空気流出口の配置範囲とが、少なくとも一部で重なっている、電池パック。
【請求項３】
請求項１または２記載の電池パックにおいて、
前記所定方向における前記空気流入口の配置幅と、前記所定方向における前記空気流出口の配置幅とが同一である、電池パック。
【請求項４】
請求項１または２記載の電池パックにおいて、
前記所定方向における前記空気流入口の配置幅と、前記所定方向における前記空気流出口の配置幅とが異なる、電池パック。
【請求項５】
請求項１乃至４の何れか１項記載の電池パックにおいて、
前記ケースの外部の空気を前記空気流入口を経て前記ケースの内部に流入させる空気輸送機構が、更に設けられ、
前記空気輸送機構は、前記空気の流れ方向で、前記空気流出口よりも下流に配置されている、電池パック。
【請求項６】
請求項１乃至５の何れか１項記載の電池パックにおいて、
前記複数の電池セルは、それぞれ円柱形状であり、
前記複数の電池セルの中心線は、前記ケースの内部における前記空気の流れ方向に対して交差して配置されている、電池パック。
【発明の詳細な説明】
【技術分野】
【０００１】
本発明は、複数の電池セルと、複数の電池セルを収容したケーシングと、を有する電池パックに関する。
【背景技術】
【０００２】
従来、複数の電池セルと、複数の電池セルを収容したケースと、を有する電池パックが知られており、その電池パックの一例が、特許文献１に記載されている。
【０００３】
特許文献１に記載された電池パックは、ケースと、ケース内に収容された複数の電池セルと、を有する。複数の電池セル同士は、互いに平行に配置されている。ケース内において、複数の電池セルの長さ方向における第１端部と、ケースとの間に吸気チャンバが設けられている。ケース内において、複数の電池セルの長さ方向における第２端部と、ケースとの間に排気チャンバが設けられている。ケースは、吸気口及び排気口を有する。吸気口は吸気チャンバに接続され、排気口は排気チャンバに接続されている。送風機がケースの外部に設けられている。
【０００４】
送風機は、吐出型のファンまたはブロアから構成され、送風機は、ケースの外部の空気を吸気チャンバに供給する。吸気チャンバに供給された空気は、電池セル同士の間の冷却通路を通る間に、電池セルを冷却する。冷却通路を通った空気は、排気チャンバを経由して排気口へ排出される。
【先行技術文献】
【特許文献】
【０００５】
【特許文献１】特開２０１７−９７９６４号公報
【発明の概要】
【発明が解決しようとする課題】
【０００６】
本願発明者は、複数の電池セルの放熱状態がケース内で不均一になる、という課題を認識した。
【０００７】
本発明の目的は、複数の電池セルの放熱状態がケース内で不均一になることを抑制可能な電池パックを提供することにある。
【課題を解決するための手段】
【０００８】
本発明の電池パックは、ケースと、前記ケースの内部に収容された複数の電池セルと、を有する電池パックであって、前記ケースは、所定方向に沿って配置され、かつ、互いに平行な第１壁部及び第２壁部と、前記所定方向に対して交差する方向に沿って配置され、かつ、互いに平行な第３壁部及び第４壁部と、を有し、前記第１壁部に設けられ、かつ、前記ケースの外部と前記ケースの内部とをつなぐ空気流入口と、前記第２壁部に設けられ、かつ、前記ケースの内部と前記ケースの外部とをつなぐ空気流出口と、前記複数の電池セルのそれぞれにおける前記第３壁部に最も近い箇所と、前記第３壁部との間に形成され、前記空気流入口及び前記空気流出口につながる第１通路と、前記複数の電池セルのそれぞれにおける前記第４壁部に最も近い箇所と、前記第４壁部との間に形成され、前記空気流入口及び前記空気流出口につながる第２通路と、が更に設けられ、前記空気流入口は、前記複数の電池セルのそれぞれにおける前記第３壁部に最も近い箇所と、前記第３壁部との間、及び前記複数の電池セルのそれぞれにおける前記第４壁部に最も近い箇所と、前記第４壁部との間にそれぞれ配置され、前記空気流出口は、前記複数の電池セルのそれぞれにおける前記第３壁部に最も近い箇所と、前記第３壁部との間、及び前記複数の電池セルのそれぞれにおける前記第４壁部に最も近い箇所と、前記第４壁部との間にそれぞれ配置されている。
【発明の効果】
【０００９】
本発明の電池パックによれば、複数の電池セルの放熱状態がケース内で不均一になることを抑制可能である。
【図面の簡単な説明】
【００１０】
【図１】本発明の電池パックを複数備えている電源装置の模式的な縦断面図である。
【図２】電池パックの正面図である。
【図３】電池パックの背面図である。
【図４】電池パックの平面図である。
【図５】電池パックの右側面図である。
【図６】電池パックからカバーを取り外した平面図である。
【図７】電池パックからカバーを取り外した右側面図である。
【発明を実施するための形態】
【００１１】
以下、本発明の電池パックの一実施形態を図面に基づいて説明する。なお、実施形態を説明するための全図において同一部には原則として同一符号を付し、その繰り返しの説明は省略する。
【００１２】
図１に示す電源装置１０は、例えば、風力発電または太陽光発電等における蓄電システムの一部として用いられる。電源装置１０は、電源盤１１と、電源盤１１の収容空間Ａ１に設けられた複数の電池パック１２と、を有する。電源盤１１は、正面壁１３、背面壁１４、天壁１５、側壁１６及び底壁１７を有する。収容空間Ａ１は、正面壁１３、背面壁１４、天壁１５、側壁１６及び底壁１７により囲まれている。正面壁１３は、開閉可能であり、正面壁１３を貫通する吸気口１８が設けられている。また、天壁１５を貫通する排気口１９が設けられている。吸気口１８は、電源盤１１の外部Ａ２と収容空間Ａ１とをつなぎ、排気口１９は、外部Ａ２と収容空間Ａ１とをつないでいる。
【００１３】
複数の支持板２０が収容空間Ａ１に設けられている。複数の支持板２０は、収容空間Ａ１内に高さ方向、つまり、重力の作用方向に所定間隔をおいて固定されている。電池パック１２は、複数の支持板２０にそれぞれ１個ずつ載せられている。
【００１４】
電池パック１２は、図２乃至図７に示すように、ケース２１、ホルダ２２、及び複数の電池セル２３を有する。複数の電池セル２３は、充電及び放電が可能な二次電池であり、複数の電池セル２３は、一例としてリチウムイオン電池である。ケース２１は、前壁２４、後壁２５、カバー２６、ベース２７、仕切り板２８及び仕切り板２９を有する。前壁２４、後壁２５、カバー２６、ベース２７、仕切り板２８及び仕切り板２９は、それぞれ金属製、一例として鉄製である。仕切り板２８と仕切り板２９とが互いに平行に配置されている。仕切り板２８，２９は、ベース２７に固定されている。
【００１５】
電池パック１２を図１のように支持板２０に載せる場合、ベース２７が支持板２０に接触し、かつ、ベース２７と支持板２０とが互いに平行である。さらに、前壁２４と吸気口１８との距離は、後壁２５と吸気口１８との距離よりも短い。
【００１６】
前壁２４及び後壁２５は、所定方向に沿って配置され、かつ、互いに平行である。本実施形態においては、所定方向が上下方向であるものとして説明する。図５のように、電池パック１２を側面視すると、ベース２７及び天板３０は、所定方向Ｈ１に対して交差する方向、例えば、９０度の角度で交差する水平方向に沿って配置され、かつ、互いに平行である。
【００１７】
図２のように、電池パック１２を正面視すると、仕切り板２８，２９は、天板３０及びベース２７に対して交差して配置、具体的には、略９０度の角度で配置されている。図４のように、電池パック１２を平面視すると、仕切り板２８，２９は、前壁２４及び後壁２５に対して交差、具体的には略９０度の角度で配置されている。
【００１８】
図２のように、電池パック１２を正面視すると、前壁２４の外周形状は略方形、具体的には長方形である。図３に示す電池パック１２の背面視で、後壁２５の外周形状は略方形、具体的には長方形である。カバー２６は、略長方形の天板３０と、天板３０のうち、互いに平行な２つの長辺にそれぞれ接続された側板３１と、を有する。２枚の側板３１同士は平行である。仕切り板２８及び仕切り板２９は、２枚の側板３１の間に配置されている。２枚の側板３１、仕切り板２８及び仕切り板２９は、互いに平行である。天板３０とベース２７とが互いに平行に配置されている。電池パック１２を平面視すると、天板３０及びベース２７の外周形状は略方形、具体的には、長方形である。
【００１９】
本実施形態において、前壁２４は、ケース２１の正面部を形成し、後壁２５は、ケース２１の背面部を形成し、カバー２６は、ケース２１の上面部及び側面部を形成し、ベース２７は、ケース２１の底面部を形成しているものとして説明する。
【００２０】
前壁２４、後壁２５、カバー２６、ベース２７、仕切り板２８及び仕切り板２９を、固定要素、一例としてボルトにより互いに固定してケース２１が組み立てられている。前壁２４、後壁２５、ベース２７、仕切り板２８及び仕切り板２９により取り囲まれた収容室Ｃ１が、ケース２１の内部に形成されている。
【００２１】
２個のホルダ２２は、収容室Ｃ１に収容されている。２個のホルダ２２は、それぞれ絶縁材料製、一例として合成樹脂製である。円柱形状の電池セル２３の中心線Ｄ１が互いに平行に位置する状態で、ホルダ２２が、複数の電池セル２３を保持している。また、電池パック１２を正面視または側面視すると、天板３０とベース２７との間に、電池セル２３が上下２段に配置されている。電池パック１２の側面視で、１段の電池セル２３が１２本である例を説明する。また、電池パック１２の平面視で、電池セル２３が１２本を１列として２列配置されている例を説明する。つまり、合計で４８本の電池セル２３が、収容室Ｃ１に収容されている。
【００２２】
さらにまた、全ての電池セル２３の中心線Ｄ１は、前壁２４及び後壁２５と平行に配置されている。２個のホルダ２２にそれぞれ保持された複数の電池セル２３は、バスバーで互いに直列または並列に接続されている。
【００２３】
第１通路３２及び第２通路３３が、収容室Ｃ１に形成されている。具体的に説明すると、図２及び図３に示すケース２１の上下方向で、上に位置する電池セル２３と、天板３０との間に第１通路３２が形成されている。さらに、具体的に説明すると、図５に示す天板３０と、ケース２１の上下方向で上に位置する複数の電池セル２３の接線Ｅ１との間に、第１通路３２が形成されている。接線Ｅ１は、複数の電池セル２３の外周面のうち、ケース２１の上下方向で天板３０に最も近い箇所同士を結ぶ仮想線である。電池パック１２を側面視すると、接線Ｅ１は、天板３０と平行である。
【００２４】
また、図２及び図３に示すケース２１の上下方向で、下に位置する電池セル２３と、ベース２７との間に第２通路３３が形成されている。具体的に説明すると、図５に示すベース２７と、ケース２１の上下方向で下に位置する複数の電池セル２３の接線Ｅ２との間に、第２通路３３が形成されている。接線Ｅ２は、複数の電池セル２３の外周面のうち、ケース２１の上下方向でベース２７に最も近い箇所同士を結ぶ仮想線である。電池パック１２を側面視すると、接線Ｅ２は、ベース２７と平行である。
【００２５】
流入口３４，３５が、前壁２４に設けられている。流入口３４，３５は、前壁２４を貫通し、かつ、ケース２１の外部Ｃ２と、収容室Ｃ１とをつないでいる。電池パック１２が、図１に示す収容空間Ａ１に配置されていると、外部Ｃ２は収容空間Ａ１に相当する。流入口３４は、天板３０に沿って複数設けられているが、流入口３４は、単数でもよい。ケース２１の上下方向において、流入口３４の配置範囲Ｆ１は、複数の電池セル２３のうち、天板３０に最も近い箇所を通る接線Ｅ１と、天板３０との間に位置する。具体的に説明すると、ケース２１の上下方向で、流入口３４の配置範囲Ｆ１は、接線Ｅ１よりも上に位置する。また、ケース２１の上下方向で、流入口３４の配置範囲Ｆ１と、第１通路３２の配置範囲とが、少なくとも一部で重なっている。
【００２６】
流入口３５は、ベース２７に沿って単数設けられているが、流入口３５は、複数設けてもよい。ケース２１の上下方向において、流入口３５の配置範囲Ｆ２は、複数の電池セル２３のうち、ベース２７に最も近い箇所を通る接線Ｅ２と、ベース２７との間に位置する。具体的に説明すると、ケース２１の上下方向で、流入口３５の配置範囲Ｆ２は、接線Ｅ２よりも下に位置する。また、ケース２１の上下方向で、流入口３５の配置範囲Ｆ２と、第２通路３３の配置範囲とが、少なくとも一部で重なっている。
【００２７】
さらに、ケース２１の上下方向において、流入口３４の配置範囲Ｆ１と、流入口３５の配置範囲Ｆ２とが、同じ大きさであってもよい。さらにまた、配置範囲Ｆ１と配置範囲Ｆ２との大きさが異なっていてもよい。つまり、配置範囲Ｆ１が配置範囲Ｆよりも大きいか、または、小さくてもよい。
【００２８】
さらに、流出口３６，３７が、後壁２５に設けられている。流出口３６，３７は、後壁２５を貫通し、かつ、ケース２１の外部Ｃ２と、収容室Ｃ１とをつないでいる。流出口３６は、天板３０に沿って複数設けられているが、流出口３６は、単数でもよい。ケース２１の上下方向において、流出口３６の配置範囲Ｆ３は、複数の電池セル２３のうち、天板３０に最も近い箇所を通る接線Ｅ１と、天板３０との間に位置する。具体的に説明すると、ケース２１の上下方向で、流出口３６の配置範囲Ｆ３は、接線Ｅ１よりも上に位置する。また、ケース２１の上下方向で、流出口３６の配置範囲Ｆ３と、第１通路３２の配置範囲とが、少なくとも一部で重なっている。
【００２９】
流出口３７は、ベース２７に沿って単数設けられているが、流出口３７は、複数設けられていてもよい。ケース２１の上下方向において、流出口３７の配置範囲Ｆ４は、複数の電池セル２３のうち、ベース２７に最も近い箇所を通る接線Ｅ２と、ベース２７との間に位置する。具体的に説明すると、ケース２１の上下方向で、流出口３７の配置範囲Ｆ４は、接線Ｅ２よりも下に位置する。また、ケース２１の上下方向で、流出口３７の配置範囲Ｆ４と、第２通路３３の配置範囲とが、少なくとも一部で重なっている。
【００３０】
さらに、ケース２１の上下方向において、流出口３６の配置範囲Ｆ３と、流出口３７の配置範囲Ｆ４とが、同じ大きさであってもよい。さらにまた、配置範囲Ｆ３と配置範囲Ｆ４との大きさが異なっていてもよい。つまり、配置範囲Ｆ３が配置範囲Ｆ４よりも大きいか、または、小さくてもよい。
【００３１】
さらに、ケース２１の上下方向において、流入口３４の配置範囲Ｆ１と、流出口３６の配置範囲Ｆ３とが、同じ大きさであってもよい。さらにまた、配置範囲Ｆ１が配置範囲Ｆ３よりも大きいか、または、小さくてもよい。
【００３２】
さらに、ケース２１の上下方向において、流入口３５の配置範囲Ｆ２と、流出口３７の配置範囲Ｆ４とが、同じ大きさであってもよい。さらにまた、配置範囲Ｆ２が配置範囲Ｆ４よりも大きいか、または、小さくてもよい。
【００３３】
さらにまた、後壁３７は、流出口４４を有する。流出口４４は、電池パック１２の背面視で、電池セル２３と側板３１との間にそれぞれ設けられている。流出口４４は、収容室Ｃ１と外部Ｃ２とをつなぐ。
【００３４】
さらに、ソケット３８が収容室Ｃ１に設けられている。ソケット３８は、電力ケーブルを介して複数の電池セル２３に電気的に接続される。ソケット３９がケース２１の外面に取り付けられている。ソケット３８とソケット３９とを接続する電力ケーブルが、ケース２１の外部Ｃ２に配索されている。この電力ケーブルは、コルゲートチューブ４０により被覆されている。
【００３５】
さらにまた、図４及び図５に示すように、ケース２１の外部にファン４１が設けられている。後壁２５にファンカバー４２が取り付けられ、ファン４１はファンカバー４２内に設けられている。ファン４１は、電池セル２３を電源として駆動してもよいし、電池パック１２以外を電源として駆動してもよい。
【００３６】
図１に示す電源装置１０において、ファン４１が回転すると、電源盤１１の外部Ａ２の空気が、吸気口１８を経由して収容空間Ａ１に吸い込まれる。全ての電池セル２３は、放電または充電の何れが行われた場合でも発熱する。
【００３７】
収容空間Ａ１に流れ込んだ空気の一部は、各電池パック１２の流入口３４，３５から収容室Ｃ１に流れ込む。収容室Ｃ１を流れる空気の一部は、第１通路３２を天板３０に沿って流れ、流出口３６から外部Ｃ２へ排出される。収容室Ｃ１を流れる空気の一部は、第２通路３３をベース２７に沿って流れ、流出口３７から外部Ｃ２へ排出される。図４に示すように、電池パック１２を平面視すると、電池セル２３の中心線Ｄ１は、収容室Ｃ１における空気の流れ方向Ｇ１に対して交差して配置されている。空気の流れ方向Ｇ１は、仕切り板２８，２９と平行である。
【００３８】
このように、ケース２１の収容室Ｃ１に収容されている全ての電池セル２３の熱は、強制対流によって空気に伝達され、温度上昇が抑制される。ケース２１の外部Ｃ２、つまり、図１の収容空間Ａ１に排出された空気は、排気口１９から電源盤１１の外部Ａ２へ排出される。なお、収容室Ｃ１の空気の一部は、流出口４４から外部Ｃ２へ排出される。
【００３９】
本実施形態の電池パック１２は、ケース２１の上下方向において、流入口３４の配置範囲Ｆ１が、天板３０と接線Ｅ１との間に位置する。また、ケース２１の上下方向で、流入口３４の配置範囲Ｆ１と流出口３６の配置範囲とが、少なくとも一部で重なっている。このため、流入口３４から収容室Ｃ１に吸い込まれた空気が、第１通路３２を略直線状に流れる過程で、電池セル２３と空気との間で熱伝達が行われる。
【００４０】
また、ケース２１の上下方向において、流入口３５の配置範囲Ｆ２が、ベース２７と接線Ｅ２との間に位置する。また、ケース２１の上下方向で、流入口３５の配置範囲Ｆ２と第２通路３３の配置範囲とが、少なくとも一部で重なっている。このため、流入口３５から収容室Ｃ１に吸い込まれた空気が、第２通路３３を略直線状に流れる過程で、電池セル２３と空気との間で熱伝達が行われる。
【００４１】
したがって、空気が収容室Ｃ１に滞留することを抑制でき、収容室Ｃ１全体における複数の電池セル２３の放熱状態、若しくは放熱性を、なるべく均一にすることが可能である。言い換えると、全ての電池セル２３の温度のバラツキを抑制できる。
【００４２】
また、通路３２，３３を空気が直線状に流れ、通路３２の圧力と通路３３の圧力とが同じになる。さらに、通路３２における空気の流通抵抗と、通路３３における空気の流通抵抗とが同じになる。さらにまた、外部Ｃ２の空気が、流入口３４，３５を通って収容室Ｃ１に吸い込まれる向きと、通路３２，３３における空気の流れ方向Ｇ１とが同じであるため、空気が収容室Ｃ１に滞留することを確実に抑制できる。特に、ベース２７に流入口が設けられていないため、収容室Ｃ１内で空気の流れ方向Ｇ１に対して交差する方向に空気が流れることを抑制可能である。
【００４３】
なお、ファン４１及びファンカバー４２は、電池パック１２に設けられていなくてもよい。この場合、図１に示す電源盤１１の排気口１９の近くにファン４３を設けることが可能である。さらに、複数の電池セル２３を互いに平行に、かつ、ケース２１の上下方向で１段のみ配置することも可能である。
【００４４】
本実施形態で開示した事項の技術的意味の一例は、次の通りである。電池パック１２は、電池パックの一例である。ケース２１は、ケースの一例である。収容室Ｃ１は、ケースの内部の一例である。電池セル２３は、電池セルの一例である。前壁２４は、第１壁部の一例である。後壁２５は、第２壁部の一例である。天板３０は、第３壁部の一例である。ベース２７は、第４壁部の一例である。流入口３４，３５は、空気流入口の一例である。空気流出口３６，３７は、流出口の一例である。第１通路３２は、第１通路の一例である。第２通路３３は、第２通路の一例である。
【００４５】
流入口３４の配置範囲Ｆ１、流入口３５の配置範囲Ｆ２は、それぞれ流入口の配置範囲の一例である。流出口３６の配置範囲Ｆ３、流出口３７の配置範囲Ｆ４は、それぞれ流出口の配置範囲の一例である。
【００４６】
流入口３４の配置範囲Ｆ１、流入口３５の配置範囲Ｆ２は、それぞれ流入口の配置幅の一例である。流出口３６の配置範囲Ｆ３、流出口３７の配置範囲Ｆ４は、それぞれ流出口の配置幅の一例である。空気の流れ方向Ｇ１は、空気の流れ方向の一例である。ファン４１は、空気輸送機構の一例である。所定方向Ｈ１は、所定方向の一例である。
【００４７】
上下方向に沿って配置され、かつ、互いに平行な前壁２４及び後壁２５に対して、略９０度の角度で交差して配置されている天板３０及びベース２７が、所定方向に対して交差して配置されていることの一例である。
【００４８】
本実施形態の電池パック１２は、支持部２０に載せられると前壁２４及び後壁２５が、上下方向、つまり、高さ方向に沿って配置される。また、天板３０及びベース２７は、略水平方向に沿って配置される。上下方向、つまり、高さ方向は、所定方向の一例であるが、電池パック１２を置く向きによって、所定方向は、水平方向になることもある。さらに、所定方向は、水平方向との中間の方向であってもよい。
【００４９】
電池パックは、本実施形態に限定されるものではなく、その要旨を逸脱しない範囲で種々変更可能である。例えば、電池パック１２の正面視における流入口３４，３５の形状は、四角形、円形等の何れでもよい。電池パック１２の背面視における流出口３６，３７の形状は、四角形、円形等の何れでもよい。
【００５０】
第１壁部及び第２壁部に対する第３壁部及び第４壁部の交差角度は、９０度よりも大きいかまたは小さくてもよい。
【００５１】
空気輸送機構は、空気の流れ方向で、流出口よりも下流に配置されていてもよいし、流入口よりも上流に配置されていてもよい。空気輸送機構は、送風機または圧縮機の何れでもよい。送風機は、ファンまたはブロアの何れでもよい。
【符号の説明】
【００５２】
１２…電池パック、２１…ケース、２３…電池セル、２４…前壁、２５…後壁、２７…ベース、３０…天板、３２…第１通路、３３…第２通路、３４，３５…流入口、３６，３７…流出口、４１…ファン、Ｃ１…収容室、Ｆ１，Ｆ２，Ｆ３，Ｆ４…配置範囲、Ｇ１…空気の流れ方向
【図１】
2020091943.tif 000003
【図２】
2020091943.tif 000004
【図３】
2020091943.tif 000005
【図４】
2020091943.tif 000006
【図５】
2020091943.tif 000007
【図６】
2020091943.tif 000008
【図７】
2020091943.tif 000009